(57)【要約】      （修正有）【課題】一本のライン上で一辺端子、二辺端子のスクライブをできる処理装置の提供。【解決手段】大割パネルＡの切断線の位置に間歇走行するフレームＦの上下に昇降自在な押さえバー１１とブレークバー１０を対向させて設け、その上側と前方との間を往復走行と昇降をする吸引ボックス１４と、その前進停止位置の下側と前方との間で上面に吸引保持する第１ステージ１６を設け、その走行路の直上に切断線をスクライブする並列第１カッタ１９を設け、第１ステージ１６の前進停止位置の直上と前方の往復走行と昇降及び９０°旋回を行い大割パネルＡの上面を吸引する第２ステージ２７を設け、その前進停止位置の前方に搬送路２８を設け、その搬送前部の直上を横切って往復走行し下面に第３ステージ３２を有する左側第３走行体２９及び右側走行体３０を設け、搬送路２８の両側で両走行体２９、３０の走行路直下に第３ステージ３２の大割パネルＡの下面に切断線をスクライブする第２カッタを設けた。【選択図】図３
0003202633.tif 000002
【実用新案登録請求の範囲】
【請求項１】
積層上側基板の上面両短辺縁部に枠端材用の切断線と、上記基板の上面の上記枠端材の両切断線間に並列する小割用の切断線とがスクライブされていると共に、積層下側基板の長辺縁片側が露出により端子となるように上記上側基板の長辺縁から突出させて折割した短冊状の大割パネルであって、この大割パネルを上面に荷受けする撓み性のベッドを設け、このベッドの上記各小割用及び端材分離用の切断線の位置に走行手段により間歇走行する門形のフレームを設け、このフレームの上下に対向させて昇降手段により昇降すると共に、上側に押さえバー、下側にブレークバーを設け、上記ベッドの上側と前方との間で走行手段により第１走行体が往復走行し、かつこの第１走行体に昇降手段により昇降するように設けて下面に上記ベッド上の大割パネルを吸引荷受けするように吸引ボックスを設け、この吸引ボックスの前進停止位置の下側と前方との間で走行手段により往復走行する第２走行体を設け、この第２走行体上に上面に上記吸引ボックスの大割パネルを上面に吸引保持して荷受けのための吸引をする第１ステージを設け、この第１ステージの走行路の直上に昇降手段により昇降して上記上側基板の上面の上記二辺端子出し端材用の各切断線に並行して小割用の切断線用の切断線をスクライブする並列第１カッタを設け、また上記第２走行体の前進停止位置の直上と前方の位置とで走行手段により第３走行体が往復走行し、かつこの第３走行体に昇降手段により昇降及び旋回手段により９０°旋回すると共に、下面に上記第１ステージ上の大割パネルの上面を吸引荷受けする吸引する第２ステージを設け、この第２ステージの前進停止位置の直下で降下し前記第２ステージの大割パネルが乗り込んで荷受けし、かつ乗り込み後に前方に搬送する搬送路を設け、この搬送路の搬送前部の直上を横切って走行手段により往復走行する左側第３走行体及び右側走行体を設け、この左側走行体及び右側走行体のそれぞれに昇降手段を介し昇降すると共に、降下によって上記搬送路上の停止大割パネルを下面に吸引保持する第３ステージを設け、この第３ステージの上記搬送路に対する離反停止位置に昇降手段により降下して上記第３ステージの大割パネルを荷受けする小割二次加工搬出の払い出し路を設け、上記搬送路の両側で上記左側走行体及び右側走行体の走行路直下に昇降手段により昇降して上記第３ステージの大割パネルの下側基板の下面に小割用及び枠端材用の切断線に合致する分断用の切断線をスクライブする第２カッタを設けたことを特徴とする大割パネルのスクライブ処理装置。
【考案の詳細な説明】
【技術分野】
【０００１】
この考案は、大判な液晶パネルから順次短冊状に折割（分断）された大割パネルを、一辺端子用と二辺端子用とにスクライブ前処理する装置に関する。
【背景技術】
【０００２】
上側基板と下側基板との積層構造の大判な液晶パネルを搬入することで、前後方向に並列状に順次折割して短冊状の大割パネルを得る。
この大割パネルは、次加工で製品サイズの小割パネルに折割する（例えば、特許文献１参照）。
【先行技術文献】
【特許文献】
【０００３】
【特許文献１】実用新案登録第３１９４２２４号公報
【考案の概要】
【考案が解決しようとする課題】
【０００４】
ところで、特許文献１のパネルの折割装置によると、Ａ面（ＣＦ面）が上側になるようにしてベルトコンベヤで搬送して折割し、またＢ面（ＴＦＴ面）を上側にしてベルトコンベヤで搬送して折割し、このいずれの折割にともない端子面を露出させるようになっている。
【０００５】
しかしながら、小割（製品サイズの）パネルには、一辺端子と二辺端子（１つのコーナーを挟む二つの辺）とがあり、この一辺端子と二辺端子とが別々のラインで製造される。
【０００６】
すると、ライン別のラインの製造なるにともない手数がかかって大幅なコストアップになる問題があった。
【０００７】
そこで、この考案で、１本のライン上で一辺端子と二辺端子の切断線をスクライブできる選択が可能になって、上述の問題を解決できるようにした大割パネルのスクライブ処理装置を提供することにある。
【課題を解決するための手段】
【０００８】
上記の課題を解決するために、この考案は、積層上側基板の上面両短辺縁部に枠端材用の切断線と、上記基板の上面の上記枠端材の両切断線間に並列する小割用の切断線とがスクライブされていると共に、積層下側基板の長辺縁片側が露出により端子となるように上記上側基板の長辺縁から突出させて折割した短冊状の大割パネルであって、この大割パネルを上面に荷受けする撓み性のベッドを設け、このベッドの上記各小割用及び端材分離用の切断線の位置に走行手段により間歇走行する門形のフレームを設け、このフレームの上下に対向させて昇降手段により昇降すると共に、上側に押さえバー、下側にブレークバーを設け、上記ベッドの上側と前方との間で走行手段により第１走行体が往復走行し、かつこの第１走行体に昇降手段により昇降するように設けて下面に上記ベッド上の大割パネルを吸引荷受けするように吸引ボックスを設け、この吸引ボックスの前進停止位置の下側と前方との間で走行手段により往復走行する第２走行体を設け、この第２走行体上に上面に上記吸引ボックスの大割パネルを上面に吸引保持して荷受けのための吸引をする第１ステージを設け、この第１ステージの走行路の直上に昇降手段により昇降して上記上側基板の上面の上記二辺端子出し端材用の各切断線に並行して小割用の切断線用の切断線をスクライブする並列第１カッタを設け、また上記第２走行体の前進停止位置の直上と前方の位置とで走行手段により第３走行体が往復走行し、かつこの第３走行体に昇降手段により昇降及び旋回手段により９０°旋回すると共に、下面に上記第１ステージ上の大割パネルの上面を吸引荷受けする吸引する第２ステージを設け、この第２ステージの前進停止位置の直下で降下し前記第２ステージの大割パネルが乗り込んで荷受けし、かつ乗り込み後に前方に搬送する搬送路を設け、この搬送路の搬送前部の直上を横切って走行手段により往復走行する左側第３走行体及び右側走行体を設け、この左側走行体及び右側走行体のそれぞれに昇降手段を介し昇降すると共に、降下によって上記搬送路上の停止大割パネルを下面に吸引保持する第３ステージを設け、この第３ステージの上記搬送路に対する離反停止位置に昇降手段により降下して上記第３ステージの大割パネルを荷受けする小割二次加工搬出の払い出し路を設け、上記搬送路の両側で上記左側走行体及び右側走行体の走行路直下に昇降手段により昇降して上記第３ステージの大割パネルの下側基板の下面に小割用及び枠端材用の切断線に合致する分断用の切断線をスクライブする第２カッタを設けた構成を採用する。
【考案の効果】
【０００９】
以上のように、この考案の大割パネルのスクライブ処理装置によれば、下側基板の長辺縁に端子の露出ずみ大割パネルを、二辺端子付小割パネルの分断に供給する場合、第１カッタで上側基板の前処理切断線に並行する小割用の切断線をスクライブし、次いで第２カッタで下側基板の下面に小割用の切断線をスクライブして二辺端子の処理を、一辺端子付小割パネルの分断に供給する場合、第１カッタによるスクライブをしないで、第２カッタで下側基板の下面に小割用の切断線をスクライブする。
【００１０】
この使い分けが、１本のライン上で選択することができるので、一辺端子と二辺端子の処理を別々の装置で行うことがない。
【００１１】
そのため、一辺端子の加工と二辺端子の加工（スクライブ）を極めて能率よく行うことができる特有な効果がある。
【００１２】
また、上記のスクライブずみ大割パネルは、左右の第３ステージから左右の小割二次加工の払い出し路に分散払い出しするので、小割二次加工の能率が倍増され、加工が滞ることなく、生産が遅延することもない。
【図面の簡単な説明】
【００１３】
【図１】一辺端子の加工を示す説明図である。
【図２】二辺端子の加工を示す説明図である。
【図３】スクライブ処理装置を示す側面図である。
【図４】同上の平面図である。
【図５】払い出し路の部分を示す正面図である。
【考案を実施するための形態】
【００１４】
この考案の実施の形態を添付図面に基づいて説明する。
図１から図５に示すＡは、短冊状の大割パネルである。
【００１５】
上記の大割パネルＡは、既知のように、二枚の積層上側基板１の上面両短辺縁部に枠端材用の切断線３と、基板１の上面両切断線３間に並列する小割（製品サイズの）用の切断線４がスクライブされていると共に、積層下側基板２の長辺縁片側が露出により一辺に電極の端子部Ｘとなるように上側基板１の長辺縁から（上側基板１の長辺縁のスクライブしてある端材分離切断線をブレークして端材除去にともなう）突出させて形成する。
【００１６】
上記の大割パネルＡは、例えば上側基板１としてのＣＦセル基板と、下側基板２としての電極の液晶、ＴＦＴセル基板の積層構造の大判な液晶パネルを切断線のブレークによって短冊状にする（例えば、特許第３７５９４５０号の方式で、図８参照）。
【００１７】
図３及び図４に示すＢは、大割パネルＡを載置する撓み性のベッドで、この撓み性のベッドＢは、荷受けした大割パネルＡが下方から押し上げにともない切断線４が分断（ニューが入って）できるためである。
【００１８】
上記のベッドＢとしては、例えば図３、４に示すように、左右で対向するプーリ（図示省略）に無端状のベルト５をかけ渡して構成したが、限定されず、同目的を達成する例えばシートなどであってよい。
【００１９】
また、ベッドＢの上下には、上下同調して切断線３、４を挟む上下又は切断線３、４及び１８を挟む上下に走行手段Ｃにより走行体６を走行させ（数値制御で、かつ搭載カメラにより切断線３、４の位置で停止させる）、この走行体６から起立するフレームＦの左右対向柱材７のベッドＢを挟む上下の下側に昇降手段としての例えばシリンダ８の作用によりガイド９で案内されて昇降するブレークバー１０を、上側に昇降手段として例えばシリンダ８の作用によりガイド９で案内されて昇降する押さえバー１１を設け、降下する押さえバー１１で大割パネルＡの浮上を止めた状況下で上昇するブレークバー１０により切断線４又は切断線１８に順次ニューを入れていくようになっている。
【００２０】
なお、押さえバー１１を二条並設する（図示省略）と共にシリンダ８で二条が同調して、或いは単独に昇降させることで、大割パネルＡの片端と、もう片端の押さえ込みを選択して行うことができる。
【００２１】
さらに、ベッドＢの上側と前方との間で走行手段Ｃにより第１走行体１２が往復走行し、この第１走行体１２に昇降手段としての例えばシリンダ１３の作用により降下して、下面の吸引孔（図示省略）によりベッドＢ上の処理ずみ大割パネルＡの上面を吸引保持（荷受け）する吸引ボックス１４が設けてある。
【００２２】
また、吸引ボックス１４の前進停止位置と前方との間で走行手段Ｃにより往復走行する第２走行体１５を設け、この第２走行体１５上には、シリンダ１３の作用により降下させた吸引ボックス１４の保持大割パネルＡを上面に荷受けすると共に、上面の吸引孔（図示省略）によって吸引保持する第１ステージ１６が設けてある。
【００２３】
さらに、第１ステージ１６の走行路の直上には、昇降手段として例えばシリンダ１７の作用により昇降し、降下にともない上側基板１の上面各端材分離用切断線１８に並行して小割用の切断線４をスクライブする並列配置の第１カッタ１９が設けてある。
【００２４】
上記の第１カッタ１９は、周知のように、例えば図３、４に示すように、水平材２０の片面にレール２１を設けて、このレール２１に走行手段Ｃの数値制御により並列位置（間隔）が変更できる走行ベース２２のスライダ２３をスライド自在に係合して、この各ベース２２に昇降手段としての例えばシリンダ１７の作用により昇降するように第１カッタ１９を設けておく。
【００２５】
なお、既知のように、ベース２２にカメラ（図示省略）を搭載し、このカメラにより切断線４のスクライブ位置を検知して、正確な位置にベース２２を停止させるようになっている。
【００２６】
また、上記の数値制御する各ベース２２の走行手段Ｃとしては、レール２１とベース２２とにリニアモーターを設けて走行させる以外に、例えばサーボモーターにより雌ネジのねじ込みボールネジ（図示省略）を可逆駆動することもある。
【００２７】
上記第１ステージ１６の前進停止位置の直上と前方との間で走行手段Ｃにより第３走行体２４が往復走行し、この第３走行体２４には、昇降手段としての例えばシリンダ２５により昇降すると共に、旋回手段２６により９０°旋回して下面に吸引孔（図示省略）によって第１ステージ１６上の大割パネルＡを吸引保持（荷受け）する吸引第２ステージ２７が設けてある。
上記の旋回手段２６としては、例えば可逆回転のモーターを用いた。
【００２８】
また、第２ステージ２７の前進停止位置から前方に搬送路２８を設けて、シリンダ２５の伸長作用により第２ステージ２７が降下することで、第２ステージ２７から搬送路２８上に大割パネルＡを荷受けする。
なお、搬送路２８は、図示の場合、前後に二本のベルトコンベヤを直列に並べたが、限定されない。
【００２９】
さらに、搬送路２８の前方端側に搬出された大割液晶パネルＡの直上と左右方向との間には、走行手段Ｃにより左右方向に往復走行する左側走行体２９及び右側走行体３０を設け、この左側走行体２９及び右側走行体３０には、昇降手段Ｃとしての例えばシリンダ３１の作用により昇降すると共に、吸引孔（図示省略）を有する下面に降下して搬送路２８上の大割パネルＡの上面を吸引保持する第３ステージ３２が設けてある。
【００３０】
また、搬送路２８から離反位置で停止した第３ステージ３２の直下には、シリンダ３１の伸長作用により降下した第３ステージ３２の大割パネルＡを上面に荷受けする払い出し路３３が設けてある。
【００３１】
この払い出し路３３には、ベルトコンベヤが用いられ、次加工の製品サイズの小割のための加工（例えば、実用新案登録第３１９５４８９号の方式）に向かう。
【００３２】
さらに、搬送路２８の両側で、左側走行体２９及び右側走行体３０の走行路直下には、第３ステージ３２の下面に吸引保持してある大割パネルＡの下側基板２の下面で、切断線３、４…と合致する線上に分断用の切断線３５をスクライブする第２カッタ３４が設けてある。
【００３３】
上記の第２カッタ３４は、第１カッタ１９と同様にベース２２の位置調整、カメラ（搭載）によるスクライブ位置を検知し、検知後の位置調整並びに各部の構成は、第１カッタ１９と同構成のため詳細な説明を省略する。
【００３４】
上記走行手段Ｃとして、レール３６に走行体６、第１走行体１２、第２走行体１５、第３走行体２４、左側走行体２９、右側走行体３０のスライダを走行自在に係合して、このレール３６と各スライダとに設けてあるリニアモーターで走行させるようにしたが、限定されず、例えば、保持雌ネジにサーボモーターで可逆回転するボールネジをドライブすることもできる。
【００３５】
また、昇降手段として、シリンダ８、１７、２５、３１を用いたが、限定されず、例えば保持雌ネジにねじ込んだボールネジをサーボモーターでドライブすることもできる。
【００３６】
上記のように構成すると、図１の工程作用図の左図から右図に示すように、ベッドＢ上に大割パネルＡを供給することで、ブレークバー１０で切断線４にニューが入り、次いで第１ステージ１６に荷受けしたのち、第２ステージ２７をへて搬送路２８上に移し、然るのち、第３ステージ３２に荷受けして払い出し路３３に払い出す直前において、第２カッタ３４により大割パネルＡの下側基板２の下面に切断線３、４…に合致するよう切断線３５をスクライブする。
【００３７】
すると、払い出し路３３から次工程の小割パネルに分断された際、一辺端子部Ｘ付の小割パネルになる。
【００３８】
また、図２の工程作用図の左から右に示すように、ベッドＢ上に大割パネルＡを供給することで、ブレークバー１０で切断線１８にニューが入り、次いで第１ステージ１６に荷受けした大割パネルＡの上側基板１の上面で、切断線１８に並行した切断線４を第１カッタ１９によりスクライブする。
【００３９】
その後に、図１と同様に搬送路２７に移し、第３ステージ３２に荷受けした払い出し路３３に払い出す直前において、第２カッタ３４により大割パネルＡの下側基板２に切断線３５をスクライブするので、次加工の小割パネルの分断にともない端子部Ｘと、上述の切断線４、１８との間の端材分離にともない二辺端子付の小割となる。
【００４０】
以上のように、１本のラインの前後に配置してある第１カッタ１９及び第２カッタ３４の使い分けによって二辺端子と一辺端子と小割パネルを生産することができる。
【符号の説明】
【００４１】
Ａ    大割パネル
Ｂ    ベッド
Ｃ    走行手段
Ｆ    フレーム
Ｘ    端子部
１    上側基板
２    下側基板
３    切断線
４    切断線
５    ベルト
６    走行体
７    柱材
８    シリンダ
９    ガイド
１０  ブレークバー
１１  押さえバー
１２  第１走行体
１３  シリンダ
１４  吸引ボックス
１５  第２走行体
１６  第１ステージ
１７  シリンダ
１８  切断線
１９  第１カッタ
２０  水平材
２１  レール
２２  ベース
２３  スライダ
２４  第３走行体
２５  シリンダ
２６  旋回手段
２７  第２ステージ
２８  搬送路
２９  左側走行体
３０  右側走行体
３１  シリンダ
３２  第３ステージ
３３  払い出し路
３４  第２カッタ
３５  切断線
３６  レール
【図１】
0003202633.tif 000003
【図２】
0003202633.tif 000004
【図３】
0003202633.tif 000005
【図４】
0003202633.tif 000006
【図５】
0003202633.tif 000007